(57)【要約】【課題】  高い防水性を確保しながら電源スイッチを容易に操作できる水中ライトを提供する。【解決手段】  水中ライト１００は、略円筒状の本体ケース３と、電池８を収容して本体ケース３の一端側に同軸上に配置されて防水構造で嵌合する略円筒状の電池ケース５と、発光ダイオード７を収容して本体ケース３の他端側に同軸上に配置されて防水構造で嵌合する略円筒状の光源ケース４と、本体ケース３内に取り付けられて発光ダイオード７を電池８に電気的に接続する回路部６と、本体ケース３内に取り付けられて回路部６の電気的接続状態を切り換えるスライドスイッチ２とを備え、光源ケース４は、その中心軸の周りに本体ケース３に対して回動可能に嵌合されており、本体ケース３内で光源ケース４と一体に回動してスライドスイッチ２を摺動させるスイッチ摺動部材１を設けた。【選択図】  図２
2006210029.tif 000002
【特許請求の範囲】
【請求項１】
略円筒状の本体ケースと、電池を収容して本体ケースの一端側に同軸上に配置されて防水構造で嵌合する略円筒状の電池ケースと、光源を収容して本体ケースの他端側に同軸上に配置されて防水構造で嵌合する略円筒状の光源ケースと、本体ケース内に取り付けられて光源を電池に電気的に接続する回路部と、本体ケース内に取り付けられて回路部の電気的接続状態を切り換えるスライドスイッチとを備え、光源ケースは、その中心軸の周りに本体ケースに対して回動可能に嵌合されており、本体ケース内で光源ケースと一体に回動してスライドスイッチを摺動させるスイッチ摺動部材を設けたことを特徴とする水中ライト。
【請求項２】
回路部は光源へのエネルギー供給をコントロールする機能を有し、スライドスイッチは光源を調光する複数のスライド位置を有する請求項１記載の水中ライト。
【請求項３】
回路部は光源へのエネルギー供給をコントロールする機能を有し、スライドスイッチは光源を点灯させるスライド位置と光源を点滅させるスライド位置とを有する請求項１記載の水中ライト。
【請求項４】
光源は発光ダイオードにより構成される請求項１記載の水中ライト。
【発明の詳細な説明】
【技術分野】
【０００１】
本発明は、電池を電源とし、電源のオン、オフ又は調光を水中で切り換える水中ライトに関する。
【背景技術】
【０００２】
防水性能を高めた携帯電灯のスイッチ構造が従来から知られている（例えば特許文献１参照）。このスイッチ構造では、ケースに形成した長孔に沿って設けた操作頭部を有するスライドスイッチやシーソースイッチを設け、防水効果があるパッキンをスイッチの内側に設けて防水性能を確保している。
【特許文献１】実開平１−７７３７号公報
【発明の開示】
【発明が解決しようとする課題】
【０００３】
しかしながら上記構成では、スライドスイッチ又はシーソースイッチを用いるので、水中でのスイッチ操作がし難いという問題がある。
【０００４】
また、スライドスイッチ又はシーソースイッチでは、単なるオン、オフではなく、複数段階の調光や点灯−点滅の切り換え等のスイッチ操作が、その構造上行い難いという問題がある。
【０００５】
本発明の目的は、上記従来例の問題点を解決し得る水中ライトを提供することにある。
【課題を解決するための手段】
【０００６】
本発明に係る水中ライトは、略円筒状の本体ケースと、電池を収容して本体ケースの一端側に同軸上に配置されて防水構造で嵌合する略円筒状の電池ケースと、光源を収容して本体ケースの他端側に同軸上に配置されて防水構造で嵌合する略円筒状の光源ケースと、本体ケース内に取り付けられて光源を電池に電気的に接続する回路部と、本体ケース内に取り付けられて回路部の電気的接続状態を切り換えるスライドスイッチとを備え、光源ケースは、その中心軸の周りに本体ケースに対して回動可能に嵌合されており、本体ケース内で光源ケースと一体に回動してスライドスイッチを摺動させるスイッチ摺動部材を設けたことを特徴とする。
【０００７】
この構成によれば、光源ケースを本体ケースに対して回動させると、スイッチ摺動部材が本体ケース内で光源ケースと一体に回動してスライドスイッチを摺動させる。このため、水中で高い防水性能を確保しながらスイッチを容易に操作できる水中ライトを提供することができる。
【０００８】
回路部は光源へのエネルギー供給をコントロールする機能を有し、スライドスイッチは光源を調光する複数のスライド位置を有すると好適である。スイッチのオン・オフ操作のみならず、光源の調光操作も容易に行うことができるからである。
【０００９】
回路部は光源へのエネルギー供給をコントロールする機能を有し、スライドスイッチは光源を点灯させるスライド位置と光源を点滅させるスライド位置とを有すると好適である。スイッチのオン・オフ操作のみならず、光源の点滅操作も容易に行うことができるからである。
【００１０】
光源は発光ダイオードにより構成されると好適である。衝撃、振動による豆電球切れのおそれが少ないからである。
【発明の効果】
【００１１】
本発明によれば、高い防水性を確保しながら電源スイッチを容易に操作できる水中ライトを提供することができる。
【発明を実施するための最良の形態】
【００１２】
図１は本実施の形態に係る水中ライト１００の斜視図であり、図２はその断面図である。図３（ａ）は水中ライト１００の要部断面斜視図であり、図３（ｂ）は要部断面図である。
【００１３】
水中ライト１００は略円筒状の本体ケース３と略円筒状の電池ケース５とを備える。電池ケース５は、本体ケース３の一端側に同軸上に配置されてＯリング９により防水構造で本体ケース３に螺合する。電池ケース５内には電池８が収容される。水中ライト１００は略円筒状の光源ケース４を備える。光源ケース４は、本体ケース３の他端側に同軸上に配置されてＯリング１０により防水構造で本体ケース３に嵌合する。光源ケース４は、その中心軸周りに本体ケース３に対して回動可能に構成されている。光源ケース４には発光ダイオード７が収容される。
【００１４】
図４は水中ライト１００の回路図であり、図５（ａ）は本体ケース３の断面図である。発光ダイオード７を電池８に電気的に接続する回路部６が本体ケース３内に設けられる。本体ケース３内にスライドスイッチ２が設けられる。スライドスイッチ２は３個の固定接点１８〜２０を有し、可動接点１７を有する可動接点部材１２が設けられる。スライドスイッチ２は、回路部６の電気的接続状態を切状態と点灯状態と点滅状態とに切り換える。切状態では可動接点１７が固定接点１９に接続され、点灯状態では固定接点１８及び１９に可動接点１７が接続され、点滅状態では固定接点１９及び２０に可動接点１７が接続される。
【００１５】
スライドスイッチ２の光源ケース４側には、円板状の位置決め板２３が本体ケース３の内周面に沿って設けられる。位置決め板２３には、位置決め穴２２が円周方向に形成される。光源ケース４の本体ケース３側には、位置決め穴２２に嵌合する位置決めピン２１が立設される。
【００１６】
位置決め板２３のスライドスイッチ２側には、略円板状のスイッチ摺動部材１が光源ケース４と同軸上に設けられている。スイッチ摺動部材１は、その外周面がスライドスイッチ２の可動接点部材１２に対向する位置に配置され、光源ケース４及び位置決めピン２１と一体に回動するように構成される。
【００１７】
スイッチ摺動部材１は、可動接点部材１２の一方の側面に係合可能に形成された係合部１３と、可動接点部材１２の他方の側面に係合可能に形成された係合部１４とを有する。図３（ａ）及び図５（ａ）は、切状態での可動接点部材１２及び係合部１３、１４の配置を示している。
【００１８】
このように構成された水中ライト１００の動作を説明する。図５（ｂ）及び図５（ｃ）は、水中ライト１００の動作を説明するための本体ケース３の断面図である。可動接点部材１２の可動接点１７は、固定接点１９に接続されて回路部６は切状態になっているとする。光源ケース４を本体ケースに対して矢印Ａ１方向に回動させると、スイッチ摺動部材１は光源ケース４と一体に回動し、スイッチ摺動部材１の係合部１３はスライドスイッチ２の可動接点部材１２の一方の側面を矢印Ａ３方向に押して摺動させ、位置決め穴２２の一端に当接した位置決めピン２１により位置決めされる。そして、スライドスイッチ２の可動接点１７が固定接点１８及び１９に接続して発光ダイオード７が点灯状態になる。
【００１９】
光源ケース４を逆の矢印Ａ２方向に回動させると、係合部１３は可動接点部材１２の一方の側面から離れ、可動接点部材１２の他方の側面を係合部１４が矢印Ａ４方向に押して摺動させ、可動接点部材１２を元の切状態の位置に戻す。さらに矢印Ａ２方向に光源ケース４を回動させると、係合部１４はさらに可動接点部材１２を摺動させ、位置決め穴２２の他端に当接した位置決めピン２１により位置決めされる。そして、スライドスイッチ２の可動接点１７が固定接点１９及び２０に接続して発光ダイオード７が点滅状態になる。
【００２０】
このように、高い防水性能を確保しながら、光源ケース４を回動させるという容易な操作でスライドスイッチを動作させることができる。
【産業上の利用可能性】
【００２１】
本発明は、電池を電源とし、電源のオン、オフ又は調光を水中で切り換える水中ライトに適用することができる。
【図面の簡単な説明】
【００２２】
【図１】本実施の形態に係る水中ライトの斜視図である。
【図２】本実施の形態に係る水中ライトの断面図である。
【図３】（ａ）は本実施の形態に係る水中ライトの要部断面斜視図であり、（ｂ）は要部断面図である。
【図４】本実施の形態に係る水中ライトの回路図である。
【図５】（ａ）は、本実施の形態に係る水中ライトに設けられた本体ケースの断面図であり、（ｂ）及び（ｃ）は、本実施の形態に係る水中ライトの動作を説明するための本体ケースの断面図である。
【符号の説明】
【００２３】
１  スイッチ摺動部材
２  スライドスイッチ
３  本体ケース
４  光源ケース
５  電池ケース
６  回路部
７  発光ダイオード
８  電池
１００  水中ライト
【図１】
2006210029.tif 000003
【図２】
2006210029.tif 000004
【図３】
2006210029.tif 000005
【図４】
2006210029.tif 000006
【図５】
2006210029.tif 000007